(57)【特許請求の範囲】
【請求項１】
その表面上に、シートを集積するシート集積板と、
シートの移動方向に対して、その上流側端部が支軸に固着され、前記支軸の回転にともなって揺動可能な第一のシート押さえ部材と、
前記第一のシート押さえ部材を、前記シート集積板から離間する方向に付勢し、待機位置に保持する付勢手段と、
前記第一のシート押さえ部材を駆動して、前記付勢手段の付勢力に抗して、前記第一のシート押さえ部材の下流側端部を前記シート集積板に向けて押圧する単一のシート押さえ部材駆動手段と、
上流側端部がシート集積装置の本体に取り付けられ、下流側端部が前記第一のシート押さえ部材に取り付けられた少なくとも１つの第二のシート押さえ部材と、
前記シート集積板上に集積されるべきシートの後端部を検出するセンサ手段と、
前記センサ手段からの検出信号に基づき、前記センサ手段が前記シートを検出してから、所定時間経過後に、前記単一のシート押さえ部材駆動手段を作動させる制御手段を有し、
前記第二のシート押さえ部材が前記第一のシート押さえ部材の下方に位置し、可撓性を有する材料によって作られ、
前記単一のシート押さえ部材駆動手段が、前記第一のシート押さえ部材を駆動して、前記付勢手段の付勢力に抗して、前記第一のシート押さえ部材の下流側端部を前記シート集積板に向けて押圧したときに、前記少なくとも１つの第二のシート押さえ部材の前記上流側端部と前記下流側端部との距離が短くなり、前記少なくとも１つの第二のシート押さえ部材が前記シート集積板に向かって凸状に撓むように、前記少なくとも１つの第二のシート押さえ部材の前記上流側端部がシート集積装置の本体に取り付けられ、前記下流側端部が前記第一のシート押さえ部材に取り付けられたことを特徴とするシート集積装置。
【請求項２】
前記少なくとも１つの第二のシート押さえ部材の上流側端部が、前記支軸よりも上流側のシート集積装置の本体に取り付けられていることを特徴とする請求項１に記載のシート集積装置。
【請求項３】
前記少なくとも１つの第二のシート押さえ部材の上流側端部が、前記待機位置に位置する前記第一のシート押さえ部材の主要部を含む平面に平行で、かつ、前記支軸を含む平面よりも、前記シート集積板に近い位置で、シート集積装置の本体に取り付けられていることを特徴とする請求項１または２に記載のシート集積装置。
【請求項４】
前記少なくとも１つの第二のシート押さえ部材の上流側端部が、前記待機位置に位置する前記第一のシート押さえ部材の主要部および前記支軸を含む平面よりも、前記シート集積板に近い位置で、シート集積装置の本体に取り付けられていることを特徴とする請求項１または２に記載のシート集積装置。
【請求項５】
前記少なくとも１つの第二のシート押さえ部材の上流側端部が、その近傍の面がシート集積装置の本体に固着されていることを特徴とする請求項１ないし４のいずれか１項に記載のシート集積装置。
【請求項６】
前記少なくとも１つの第二のシート押さえ部材の上流側端部が、シート集積装置の本体の線状の領域に固着されていることを特徴とする請求項１ないし４のいずれか１項に記載のシート集積装置。
【請求項７】
前記少なくとも１つの第二のシート押さえ部材の上流側端部が、シート集積装置の本体に形成されたスリットの内面に固着されていることを特徴とする請求項６に記載のシート集積装置。
【請求項８】
前記少なくとも１つの第二のシート押さえ部材の上流側端部が、シート集積装置の本体に設けられた支軸まわりに揺動自在に取付けられていることを特徴とする請求項１ないし４のいずれか１項に記載のシート集積装置。
【請求項９】
前記少なくとも１つの第二のシート押さえ部材の下流側端部が、その近傍の面で、前記第一のシート押さえ部材に固着されていることを特徴とする請求項１ないし８のいずれか１項に記載のシート集積装置。
【請求項１０】
前記少なくとも１つの第二のシート押さえ部材の下流側端部が、第一のシート押さえ部材に設けられた支軸まわりに揺動自在に取付けられていることを特徴とする請求項１ないし８のいずれか１項に記載のシート集積装置。
【請求項１１】
前記第一のシート押さえ部材がフォーク状をなし、前記第一のシート押さえ部材の下流側が分岐して形成された複数の歯を備え、前記少なくとも１つの第二のシート押さえ部材の下流側端部が、前記第一のシート押さえ部材の前記複数の歯の少なくとも１つに取り付けられていることを特徴とする請求項１ないし１０のいずれか１項に記載のシート集積装置。
【請求項１２】
シート集積装置が、複数の第二のシート押さえ部材を備え、前記複数の第二のシート押さえ部材が、それぞれ、前記第一のシート押さえ部材の前記複数の歯に、その下流側端部が取り付けられていることを特徴とする請求項１１に記載のシート集積装置。
【請求項１３】
前記複数の第二のシート押さえ部材の少なくとも１つの第二のシート押さえ部材の上流側端部が、前記複数の第二のシート押さえ部材の他の上流側端部と異なった態様で、シート集積装置に取付けられていることを特徴とする請求項１２に記載のシート集積装置。
【請求項１４】
前記第二のシート押さえ部材が可撓性を有する合成樹脂シートによって形成されていることを特徴とする請求項１ないし１３のいずれか１項に記載のシート集積装置。
【請求項１５】
前記第二のシート押さえ部材が可撓性を有する金属シートによって形成されていることを特徴とする請求項１ないし１３のいずれか１項に記載のシート集積装置。
【請求項１６】
さらに、シートの後端部を、前記シート集積板の上面に向けて、叩き落す羽根車を備えたことを特徴とする請求項１ないし１５のいずれか１項に記載のシート集積装置。
【発明の詳細な説明】
【技術分野】
【０００１】
本発明は、紙幣などシートを集積する装置に関するものであり、さらに詳細には、シートの略中央部が折れ曲げられている場合や、シートの先端部がカールしている場合、シートがきわめて折れ曲がりやすい場合や、シートに皺がついている場合においても、簡易な構造で、所望のように、シートを集積することができるシート集積装置に関するものである。
【背景技術】
【０００２】
特許第３３３６２１０号は、その上に、紙幣を集積する紙幣集積板と、後端部が揺動自在に支持され、紙幣を下方に案内する紙幣押さえ板と、紙幣押さえ板の先端部を上方に付勢するねじりばねと、紙幣押さえ板の先端部を、ねじりばねのスプリング力に抗して、紙幣集積板に向けて押圧するソレノイドと、集積されるべき紙幣の後端部を検出するセンサと、センサからの検出信号に基づき、センサが紙幣の後端部を検出してから、所定時間経過後に、ソレノイドを作動させる制御手段を有する紙幣集積装置を備えた紙幣処理機を開示している。
【０００３】
かかる構成を有する紙幣集積装置によれば、紙幣が紙幣集積装置内に供給された時点では、紙幣押さえ板は、紙幣集積板の上方に保持されており、センサが紙幣の後端部を検出してから、所定時間経過後に、紙幣押さえ板の先端部が、紙幣集積板に向けて押圧され、紙幣の先端部が、紙幣押さえ板によって、紙幣集積板の表面に押圧されて、紙幣押さえ板と紙幣集積板の表面とによって挟持されるから、折れ曲がりやすい紙幣や皺のついた紙幣でも、所望のように、集積することが可能になる。
【０００４】
しかしながら、かかる構成を有する紙幣集積装置においては、たとえば、財布によって、略中央部が折れ曲げられた紙幣や、先端部がカールした紙幣を、その長辺が搬送方向と一致するように搬送して、集積する場合に、紙幣押さえ板によって、押圧された紙幣の部分よりも後端側の紙幣の部分が上方に突出することがあり、このようなときは、紙幣押さえ板によって、紙幣を紙幣集積板の表面に沿うように、押圧することが困難になり、その結果、紙幣を、所望のように、集積することができない場合があった。
【０００５】
そこで、かかる問題点を解決するため、特開２００５−２４７５２４号公報は、紙幣を集積する紙幣集積板と、後端部が揺動自在に支持され、付勢手段によってその先端部が上方に付勢された第一の紙幣押さえ板および第二の紙幣押さえ板と、後端部が揺動自在に支持され、自重によって、その先端部が紙幣集積板に当接し、折れ曲がりやすい紙幣や皺のついた紙幣が、紙幣集積装置内に供給された場合においても、また、略中央部が折れ曲げられた紙幣や先端部がカールした紙幣が、その先端部が上方に突出した状態で、紙幣集積装置内に供給された場合においても、紙幣の先端部によって、確実に押し上げられるように、小さな重量を有する第三の紙幣押さえ板と、付勢手段の付勢力に抗して、第一の紙幣押さえ板および第二の紙幣押さえ板を駆動して、第一の紙幣押さえ板および第二の紙幣押さえ板の先端部を、紙幣集積板に向けて押圧する紙幣押さえ部材駆動手段と、紙幣集積板上に集積されるべき紙幣の後端部を検出するセンサ手段と、センサ手段からの検出信号に基づき、センサ手段が紙幣を検出してから、所定時間経過後に、紙幣押さえ部材駆動手段を作動させる制御手段を備え、センサ手段が紙幣集積板上に集積されるべき紙幣の後端部を検出してから、所定時間経過後に、紙幣押さえ部材駆動手段が駆動されて、第一の紙幣押さえ板の先端部が、紙幣集積板上に集積された紙幣の後端部から、約１／３の部分を押圧し、第二の紙幣押さえ板の先端部が、紙幣集積板上に集積された紙幣の長手方向の略中央部を押圧し、第三の紙幣押さえ板が、紙幣集積板上に集積された紙幣の先端部から約１／３の部分を押圧するように構成された紙幣集積装置を提案している。
【０００６】
この紙幣集積装置によれば、折れ曲がりやすい紙幣や皺のついた紙幣が、その長辺が搬送方向と一致するように搬送されて、紙幣集積装置内に供給された場合においても、また、略中央部が折れ曲げられた紙幣や先端部がカールした紙幣が、その先端部が上方に突出した状態で、紙幣集積装置内に供給された場合においても、紙幣は、第三の紙幣押さえ板の先端部に沿って、案内されつつ、紙幣集積板の表面上を送られ、第一の紙幣押さえ板および第二の紙幣押さえ板が駆動されて、第一の紙幣押さえ板の先端部が、紙幣集積板上に集積された紙幣の後端部から、約１／３の部分を押圧し、第二の紙幣押さえ板の先端部が、紙幣集積板上に集積された紙幣の長手方向の略中央部を押圧して、紙幣が停止されたときに、第三の紙幣押さえ板の先端部によって紙幣の先端部から約１／３の部分が押圧されるから、折れ曲がりやすい紙幣や皺のついた紙幣でも、また、財布によって、略中央部が折れ曲げられた紙幣や、先端部がカールした紙幣でも、所望のように、紙幣集積板上に集積することが可能になる。
【先行技術文献】
【特許文献】
【０００７】
【特許文献１】特許第３３３６２１０号
【特許文献２】特開２００５−２４７５２４号公報
【発明の概要】
【発明が解決しようとする課題】
【０００８】
しかしながら、かかる紙幣集積装置は、紙幣押さえ部材駆動手段によって駆動されて、その先端部が紙幣集積板上に集積された紙幣の後端部から、約１／３の部分を押圧する第一の紙幣押さえ板と、その先端部が紙幣集積板上に集積された紙幣の長手方向の略中央部を押圧する第二の紙幣押さえ板を備えているため、必然的に、その構造が複雑化し、コストがアップするという問題を有している。
【０００９】
また、かかる紙幣集積装置においては、第三の紙幣押さえ板は、自重によって、その先端部が紙幣集積板に当接し、紙幣の先端部によって押し上げられることによって、紙幣集積板上の紙幣を案内するように構成されているため、厚さがきわめて薄く、きわめて折れ曲がりやすい紙幣を紙幣集積板上に集積するときには、紙幣の先端部によって第三の紙幣押さえ板を押し上げることができず、紙幣を所望のように、紙幣集積板上に集積できない場合があった。
【００１０】
紙幣以外のシートを集積する場合にも、シートの略中央部が折れ曲げられているときや、シートの先端部がカールしているとき、シートがきわめて折れ曲がりやすいときやシートに皺がついているときに、所望のように、シートを集積するシート集積装置は存在しなかった。
【００１１】
したがって、本発明は、シートの略中央部が折れ曲げられている場合や、シートの先端部がカールしている場合、シートがきわめて折れ曲がりやすい場合や、シートに皺がついている場合においても、簡易な構造で、所望のように、シートを集積することができるシート集積装置を提供することを目的とするものである。
【課題を解決するための手段】
【００１２】
本発明のかかる目的は、その表面上に、シートを集積するシート集積板と、
シートの移動方向に対して、その上流側端部が支軸に固着され、前記支軸の回転にともなって揺動可能な第一のシート押さえ部材と、
前記第一のシート押さえ部材を、前記シート集積板から離間する方向に付勢し、待機位置に保持する付勢手段と、
前記第一のシート押さえ部材を駆動して、前記付勢手段の付勢力に抗して、前記第一のシート押さえ部材の下流側端部を前記シート集積板に向けて押圧する単一のシート押さえ部材駆動手段と、
上流側端部がシート集積装置の本体に取り付けられ、下流側端部が前記第一のシート押さえ部材に取り付けられた少なくとも１つの第二のシート押さえ部材と、
前記シート集積板上に集積されるべきシートの後端部を検出するセンサ手段と、
前記センサ手段からの検出信号に基づき、前記センサ手段が前記シートを検出してから、所定時間経過後に、前記単一のシート押さえ部材駆動手段を作動させる制御手段を有し、
前記第二のシート押さえ部材が前記第一のシート押さえ部材の下方に位置し、可撓性を有する材料によって作られ、
前記単一のシート押さえ部材駆動手段が、前記第一のシート押さえ部材を駆動して、前記付勢手段の付勢力に抗して、前記第一のシート押さえ部材の下流側端部を前記シート集積板に向けて押圧したときに、前記少なくとも１つの第二のシート押さえ部材の前記上流側端部と前記下流側端部との距離が短くなり、前記少なくとも１つの第二のシート押さえ部材が前記シート集積板に向かって凸状に撓むように、前記少なくとも１つの第二のシート押さえ部材の前記上流側端部がシート集積装置の本体に取り付けられ、前記下流側端部が前記第一のシート押さえ部材に取り付けられたことを特徴とするシート集積装置によって達成される。
【００１３】
本発明によれば、第二のシート押さえ部材が可撓性を有する材料によって作られ、単一のシート押さえ部材駆動手段が、第一のシート押さえ部材を駆動して、付勢手段の付勢力に抗して、第一のシート押さえ部材の下流側端部をシート集積板に向けて押圧したときに、少なくとも１つの第二のシート押さえ部材の上流側端部と下流側端部との距離が短くなり、前記少なくとも１つの第二のシート押さえ部材が前記シート集積板に向かって凸状に撓むように、少なくとも１つの第二のシート押さえ部材の上流側端部がシート集積装置の本体に取り付けられ、下流側端部が第一のシート押さえ部材に取り付けられているから、シート集積板上にシートを集積するために、単一のシート押さえ部材駆動手段が、第一のシート押さえ部材を駆動して、付勢手段の付勢力に抗して、第一のシート押さえ部材の下流側端部をシート集積板に向けて押圧したときに、少なくとも１つの第二のシート押さえ部材が、シート集積板に向かって、凸状に撓んで、凸状部分が形成され、その結果、第一のシート押さえ部材によって、シート集積板上に送り込まれたシートの先端部（下流側端部）近傍がシート集積板に向けて、押圧され、少なくとも１つの第二のシート押さえ部材が撓んで形成された凸状部分によって、シート集積板上に送り込まれたシートの先端部（下流側端部）よりも後端部（上流側端部）がシート集積板に向けて、押圧されるから、シートの略中央部が折れ曲げられている場合や、シートの先端部がカールしている場合、シートがきわめて折れ曲がりやすい場合や、シートに皺がついている場合においても、単一のシート押さえ部材駆動手段を駆動するだけで、所望のように、シートを集積することが可能になる。
【００１４】
本発明の好ましい実施態様においては、前記少なくとも１つの第二のシート押さえ部材の上流側端部が、前記支軸よりも上流側のシート集積装置の本体に取り付けられている。
【００１５】
本発明の好ましい実施態様によれば、少なくとも１つの第二のシート押さえ部材の上流側端部が、支軸よりも上流側のシート集積装置の本体に取り付けられているから、単一のシート押さえ部材駆動手段が、第一のシート押さえ部材を駆動して、付勢手段の付勢力に抗して、第一のシート押さえ部材の下流側端部をシート集積板に向けて押圧したときに、少なくとも１つの第二のシート押さえ部材の上流側端部と下流側端部との距離が必ず短くなり、したがって、シートの略中央部が折れ曲げられている場合や、シートの先端部が上方にカールしている場合、シートがきわめて折れ曲がりやすい場合や、シートに皺がついている場合においても、単一のシート押さえ部材駆動手段を駆動するだけで、所望のように、シートを集積することが可能になる。
【００１６】
本発明の別の実施態様においては、前記少なくとも１つの第二のシート押さえ部材の上流側端部が、前記待機位置に位置する前記第一のシート押さえ部材の主要部を含む平面に平行で、かつ、前記支軸を含む平面よりも、前記シート集積板に近い位置で、シート集積装置の本体に取り付けられている。
【００１７】
本発明の別の好ましい実施態様によれば、少なくとも１つの第二のシート押さえ部材の上流側端部が、待機位置に位置する第一のシート押さえ部材の主要部を含む平面に平行で、かつ、支軸を含む平面よりも、シート集積板に近い位置で、シート集積装置の本体に取り付けられているから、単一のシート押さえ部材駆動手段が、第一のシート押さえ部材を駆動して、付勢手段の付勢力に抗して、第一のシート押さえ部材の下流側端部をシート集積板に向けて押圧したときに、少なくとも１つの第二のシート押さえ部材の上流側端部と下流側端部との距離が必ず短くなり、したがって、シートの略中央部が折れ曲げられている場合や、シートの先端部が上方にカールしている場合、シートがきわめて折れ曲がりやすい場合や、シートに皺がついている場合においても、単一のシート押さえ部材駆動手段を駆動するだけで、所望のように、シートを集積することが可能になる。
【００１８】
本発明のさらに別の実施態様においては、前記少なくとも１つの第二のシート押さえ部材の上流側端部が、前記待機位置に位置する前記第一のシート押さえ部材の主要部および前記支軸を含む平面よりも、前記シート集積板に近い位置で、シート集積装置の本体に取り付けられている。
【００１９】
本発明のさらに別の好ましい実施態様によれば、少なくとも１つの第二のシート押さえ部材の上流側端部が、待機位置に位置する第一のシート押さえ部材の主要部および支軸を含む平面よりも、シート集積板に近い位置で、シート集積装置の本体に取り付けられているから、単一のシート押さえ部材駆動手段が、第一のシート押さえ部材を駆動して、付勢手段の付勢力に抗して、第一のシート押さえ部材の下流側端部をシート集積板に向けて押圧したときに、少なくとも１つの第二のシート押さえ部材の上流側端部と下流側端部との距離が必ず短くなり、したがって、シートの略中央部が折れ曲げられている場合や、シートの先端部が上方にカールしている場合、シートがきわめて折れ曲がりやすい場合や、シートに皺がついている場合においても、単一のシート押さえ部材駆動手段を駆動するだけで、所望のように、シートを集積することが可能になる。
【００２０】
本発明のさらに好ましい実施態様においては、前記少なくとも１つの第二のシート押さえ部材の上流側端部近傍の面がシート集積装置の本体に固着されている。
【００２１】
本発明の別の好ましい実施態様においては、前記少なくとも１つの第二のシート押さえ部材の上流側端部が、シート集積装置の本体の線状の領域に固着されて、シート集積装置に取り付けられている。
【００２２】
本発明のさらに好ましい実施態様においては、前記少なくとも１つの第二のシート押さえ部材の上流側端部が、シート集積装置の本体に形成されたスリットの内面に固着されて、シート集積装置に取り付けられている。
【００２３】
本発明のさらに別の好ましい実施態様においては、前記少なくとも１つの第二のシート押さえ部材の上流側端部が、シート集積装置の本体に設けられた支軸まわりに揺動自在に取付けられている
本発明のさらに好ましい実施態様においては、前記少なくとも１つの第二のシート押さえ部材の下流側端部が、その近傍の面で、前記第一のシート押さえ部材に固着されている。
【００２４】
本発明の別の好ましい実施態様においては、前記少なくとも１つの第二のシート押さえ部材の下流側端部が、前記第一のシート押さえ部材の線状の領域に固着されている。
【００２５】
本発明のさらに別の好ましい実施態様においては、前記少なくとも１つの第二のシート押さえ部材の下流側端部が、第一のシート押さえ部材に設けられた支軸まわりに揺動自在に取付けられている。
【００２６】
本発明のさらに好ましい実施態様においては、前記第一のシート押さえ部材がフォーク状をなし、前記第一のシート押さえ部材の下流側が分岐して形成された複数の歯を備え、前記少なくとも１つの第二のシート押さえ部材の下流側端部が、前記第一のシート押さえ部材の前記複数の歯の少なくとも１つに取り付けられている。
【００２７】
本発明のさらに好ましい実施態様においては、シート集積装置が、複数の第二のシート押さえ部材を備え、前記複数の第二のシート押さえ部材が、それぞれ、前記第一のシート押さえ部材の前記複数の歯に、その下流側端部が取り付けられている。
【００２８】
本発明のさらに好ましい実施態様においては、前記複数の第二のシート押さえ部材の少なくとも１つの第二のシート押さえ部材の上流側端部が、前記複数の第二のシート押さえ部材の他の上流側端部と異なった態様で、シート集積装置の本体に取付けられている。
【００２９】
本発明のさらに好ましい実施態様においては、前記複数の第二のシート押さえ部材の少なくとも１つの第二のシート押さえ部材の下流側端部が、前記複数の第二のシート押さえ部材の他の下流側端部と異なった態様で、前記複数の第一のシート押さえ部材の歯に取付けられている。
【００３０】
本発明のさらに好ましい実施態様においては、前記第二のシート押さえ部材が可撓性を有する合成樹脂シートによって形成されている。
【００３１】
本発明のさらに別の好ましい実施態様においては、前記第二のシート押さえ部材が可撓性を有する金属シートによって形成されている。
【００３２】
本発明のさらに別の好ましい実施態様においては、さらに、シートの後端部を、前記シート集積板の上面に向けて、叩き落す羽根車を備えている。
【発明の効果】
【００３３】
本発明によれば、シートの略中央部が折れ曲げられている場合や、シートの先端部がカールしている場合、シートがきわめて折れ曲がりやすい場合や、シートに皺がついている場合においても、簡易な構造で、所望のように、シートを集積することができるシート集積装置を提供することが可能になる。
【図面の簡単な説明】
【００３４】
【図１】図１は、本発明の好ましい実施態様にかかる紙幣集積装置の略側面図である。
【図２】図２は、第二の紙幣押さえ板の上流側端部の詳細を示す略拡大側面図である。
【図３】図３は、第一の紙幣押さえ板および第二の紙幣押さえ板の配置を示す略平面図である。
【図４】図４は、本実施態様にかかる紙幣集積装置の入力系、駆動系、検出系および制御系を示すブロックダイアグラムである。
【図５】図５は、第一の紙幣押さえ板が支軸まわりに、図１において、反時計方向に揺動された状態を示す略斜視図である。
【図６】図６は、本発明の別の好ましい実施態様にかかる紙幣集積装置の略側面図である。
【図７】図７は、第二の紙幣押さえ板の上流側端部近傍の詳細を示す略拡大側面図である。
【図８】図８は、第一の紙幣押さえ板が、支軸まわりに、図６において、反時計方向に揺動されたときの第一の紙幣押さえ板および第二の紙幣押さえ板の位置を示す概略図である。
【図９】図９は、本発明の他の好ましい実施態様にかかる紙幣集積装置の略側面図である。
【図１０】図１０は、第一の紙幣押さえ板が、図９において、支軸まわりに反時計方向に揺動されたときの第一の紙幣押さえ板および第二の紙幣押さえ板の位置および形状を概略的に示すダイアグラムである。
【図１１】図１１は、本発明のさらに他の好ましい実施態様にかかる紙幣集積装置の略側面図である。
【図１２】図１２は、第一の紙幣押さえ板が、支軸まわりに、図１１において、反時計方向に揺動されたときの第一の紙幣押さえ板および第二の紙幣押さえ板の位置を示す概略図である。
【図１３】図１３は、本発明の他の好ましい実施態様にかかる紙幣集積装置の第一の紙幣押さえ板および第二の紙幣押さえ板の配置を示す略平面図である。
【図１４】図１４は、図１３に示された紙幣集積装置の中央に位置する第二の紙幣押さえ板の上流側端部近傍を示す概略図である。
【図１５】図１５は、第一の紙幣押さえ板が支軸まわりに、図１において、反時計方向に揺動されたときに、中央に位置する第二の紙幣押さえ板ならびに両端部に位置する第二の紙幣押さえ板の変形形状を示す概略図である。
【発明を実施するための形態】
【００３５】
以下、添付図面に基づいて、本発明の好ましい実施態様につき、詳細に説明を加える。
【００３６】
図１は、本発明の好ましい実施態様にかかる紙幣集積装置の略側面図である。
【００３７】
本実施態様にかかる紙幣集積装置は、紙幣入出金機の一部を構成し、紙幣入出金機に投入された紙幣のうち、紙幣判別部によって、受け入れ可能と判別された紙幣を集積するように構成されている。紙幣集積装置によって集積された紙幣は、オペレータまたは顧客の指示にしたがって、紙幣入出金機に入金され、あるいは、オペレータまたは顧客に返却される。
【００３８】
本実施態様にかかる紙幣集積装置は、紙幣を略水平に集積するように構成され、図１に示されるように、その上面に紙幣を集積する紙幣集積板１と、紙幣集積装置の入口部に設けられたローラ対２と、ローラ対２の下方に位置し、紙幣の後端部を紙幣集積板１の上面に向けて、すなわち、下方に向けて掻き落とす羽根車３を備えている。
【００３９】
図１に示されるように、紙幣の搬送方向に対して、羽根車３の上流側には、紙幣の後端部を検出するセンサ５が設けられ、一方、紙幣の搬送方向に対して、紙幣集積装置の最下流端部である出口部には、シャッタ６が設けられている。
【００４０】
図１に示されるように、紙幣集積板１は、羽根車３の近傍から略水平方向に延びる第一の水平面部１ａと、第一の水平面部１ａの下流端部から、下方に向かって、斜めに延びる傾斜面部１ｃと、傾斜面部１ｃの下流端部から略水平方向に延びる第二の水平面部１ｂを備えている。
【００４１】
図１に示されるように、本実施態様にかかる紙幣集積装置は、さらに、その上流側端部が支軸１０に固着され、紙幣集積板１上に送り込まれた紙幣を押圧可能な第一の紙幣押さえ板１１を備えている。第一の紙幣押さえ板１１は、待機位置に位置しているときに、紙幣集積板１の第一の水平面部１ａに平行な主要部と、紙幣集積板１の傾斜面部１ｃに平行な傾斜部および支軸１０に取り付けられる取り付け部を備えている。第一の紙幣押さえ板１１は、引っ張りばね１３によって、支軸１０まわりに時計方向に付勢されており、図１に示される待機位置においては、略水平に保持されている。
【００４２】
本実施態様にかかる紙幣集積装置は、さらに、その下流側端部の近傍の面が、第一の紙幣押さえ板１１に固着され、その上流側端部の近傍の面が、支軸１０よりも上流側で、かつ、支軸１０よりも紙幣集積板１に近い位置で、紙幣集積装置の本体に取り付けられている取り付け部材１６に固着された第二の紙幣押さえ板１５を備えている。第二の紙幣押さえ板１５は、可撓性を有するポリエチレンテレフタレートシートなどの合成樹脂シートによって形成されている。
【００４３】
図２は、第二の紙幣押さえ板１５の上流側端部の近傍を示す略拡大側面図である。図２に示されるように、取り付け部材１６に固着された第二の紙幣押さえ板１５の固着部に接して、第二の紙幣押さえ板１５には折れ目１５ａが形成され、第二の紙幣押さえ板１５は、折れ目１５ａまわりに揺動可能に構成されている。図２には図示されていないが、後述のように、第二の紙幣押さえ板１５の下流側端部は、第一の紙幣押さえ部材１１に固着され、第一の紙幣押さえ部材１１に固着された第二の紙幣押さえ板１５の固着部に接して、第二の紙幣押さえ板１５には折れ目１５ｂが形成され、折れ目１５ｂまわりに揺動可能に構成されている。
【００４４】
図３は、第一の紙幣押さえ板１１および第二の紙幣押さえ板１５の配置を示す略平面図である。
【００４５】
図３に示されるように、第一の紙幣押さえ板１１は、支軸１０に固着された基端部１２と、基端部１２から、紙幣搬送方向に対して、下流側に向かって延びる互いに平行な３本の歯１１ａ、１１ｂおよび１１ｃを有する略フォーク状の板部材によって構成されており、第一の紙幣押さえ板１１の各歯１１ａ、１１ｂ、１１ｃの下流側端部は、紙幣集積板１上に送り込まれた紙幣を、紙幣集積板１の傾斜面部１ｃに向けて押圧可能な押圧面１２ａ、１２ｂ、１２ｃを構成している。
【００４６】
図１ないし図３に示されるように、第二の紙幣押さえ板１５の上流側端部近傍の面は、支軸１０よりも上流側で、かつ、支軸１０よりも紙幣集積板１に近い位置で、取り付け部材１６に固着され、第二の紙幣押さえ板１５の下流側端部近傍の面は、第一の紙幣押さえ板１１の３本の歯１１ａ、１１ｂ、１１ｃのうち、中央に位置する歯１１ｂの押圧面１２ｂに固着されている。
【００４７】
また、図１および図３に示されるように、第一の紙幣押さえ部材１１に固着された第二の紙幣押さえ板１５の固着部に接して、第二の紙幣押さえ板１５には折れ目１５ｂが形成され、第二の紙幣押さえ板１５は、折れ目１５ｂまわりに揺動可能に構成されている。
【００４８】
図４は、本実施態様にかかる紙幣集積装置の入力系、駆動系、検出系および制御系を示すブロックダイアグラムである。
【００４９】
図４に示されるように、本実施態様にかかる紙幣集積装置の入力系は、オペレータまたは顧客によって操作され、指示信号を入力可能な入力手段２０を備えている。
【００５０】
図４に示されるように、本実施態様にかかる紙幣集積装置の駆動系は、羽根車３を回転させるモータ２５と、第一の紙幣押さえ板１１を駆動するソレノイド２７と、シャッタ６を開閉するソレノイド２８を備えている。
【００５１】
また、図４に示されるように、本実施態様にかかる紙幣集積装置の検出系は、搬送路に設けられ、紙幣の光学的パターンなどを検出して、紙幣検出信号を出力する紙幣判別センサ３０と、羽根車３の上流側に設けられ、紙幣集積板１上に送られた紙幣の後端部を検出するセンサ５を備えている。
【００５２】
図４に示されるように、本実施態様にかかる紙幣集積装置の制御系は、紙幣判別センサ３０から入力される紙幣検出信号に基づいて、紙幣判別センサ３０が検出した紙幣が現に流通している真正な紙幣で受け入れ可能な紙幣か、あるいは、偽造紙幣、外国紙幣などの受け入れ不能な紙幣かを判別し、紙幣が受け入れ可能である場合に、その金種を判別し、センサ５からの検出信号に基づいて、モータ２５およびソレノイド２７を駆動するコントロールユニット４０を備えている。
【００５３】
以上のように構成された本実施態様にかかる紙幣集積装置は、以下のようにして、紙幣集積板１上に、紙幣を集積する。
【００５４】
オペレータまたは顧客が、紙幣処理機の紙幣入出金口（図示せず）に紙幣を投入し、入力手段２０に紙幣の処理を指示する指示信号を入力すると、指示信号がコントロールユニット４０に入力され、コントロールユニット４０は、モータ２５に駆動信号を出力して、羽根車３を回転させる。
【００５５】
この状態では、図１に示されるように、第一の紙幣押さえ板１１は、引っ張りばね１３によって時計方向に付勢され、紙幣集積板１の上面から離間した待機位置に保持されており、したがって、その下流側端部の近傍の面が第一の紙幣押さえ板１１の中央の歯１１ｂの押圧面１２ｂに固着された第二の紙幣押さえ板１５もまた、紙幣集積板１の上面から離間した待機位置に保持されている。
【００５６】
紙幣入出金機に投入された紙幣が、搬送路（図示せず）内を搬送され、搬送路に設けられた紙幣判別センサ３０によって、紙幣の光学的パターンなどが検出されると、紙幣検出信号がコントロールユニット４０に出力される。
【００５７】
コントロールユニット４０が、紙幣判別センサ３０から入力された紙幣検出信号に基づいて、紙幣判別センサ３０が検出した紙幣が受け入れ可能であると判別すると、コントロールユニット４０は、その紙幣を紙幣集積装置に向けて送り、さらに、その紙幣は、紙幣集積装置のローラ対２によって、紙幣集積板１の上方に送り込まれる。
【００５８】
ローラ対２によって、紙幣集積板１の上方に送り込まれた紙幣は、羽根車３によって、その後端部が紙幣集積板１の上面に向けて、叩き落される。
【００５９】
さらに、紙幣集積装置の入口部に設けられたセンサ５によって、紙幣の後端部が検出されると、紙幣検出信号がコントロールユニット４０に出力される。
【００６０】
センサ５から紙幣検出信号を受けると、コントロールユニット４０は、センサ５から紙幣検出信号を受けてから、所定の時間経過後に、ソレノイド２７に駆動信号を出力する。
【００６１】
その結果、ソレノイド２７によって、第一の紙幣押さえ板１１が、引っ張りばね１３のスプリング力に抗して、支軸１０まわりに、図１において、反時計方向に揺動され、各歯１１ａ、１１ｂ、１１ｃの押圧面１２ａ、１２ｂ、１２ｃによって、紙幣集積板１上に送り込まれた紙幣が、紙幣集積板１の傾斜面部１ｃに向けて、押圧される。
【００６２】
図５は、第一の紙幣押さえ板１１が支軸１０まわりに、図１において、反時計方向に揺動された状態を示す略斜視図である。
【００６３】
上述のように、第二の紙幣押さえ板１５の下流側端部近傍の面は、第一の紙幣押さえ板１１の歯１１ｂの押圧面１２ｂに固着され、固着部に接して、第二の紙幣押さえ板１５には折れ目１５ｂが形成されており、第二の紙幣押さえ板１５の上流側端部近傍の面は、支軸１０よりも上流側で、かつ、支軸１０よりも紙幣集積板１に近い位置で、取り付け部材１６に固着され、固着部に接して、第二の紙幣押さえ板１５には折れ目１５ａが形成されているから、第一の紙幣押さえ板１１が支軸１０まわりに反時計方向に揺動されると、図５に示されるように、第二の紙幣押さえ板１５もまた強制的に揺動される。
【００６４】
その結果、第二の紙幣押さえ板１５の上流側端部と下流側端部との距離が短くなり、可撓性を有するポリエチレンテレフタレートなどの合成樹脂シートによって形成された第二の紙幣押さえ板１５には、必然的にたわみが生じ、紙幣集積板１に向けて、凸状部分１５ｃが形成される。
【００６５】
したがって、紙幣集積板１の上方に送り込まれた紙幣の先端部（下流側端部）と先端部から長さ方向に約１／５の部分との間に位置する部分が、第一の紙幣押さえ板１１によって、紙幣集積板１の傾斜面部１ｃに向けて押圧され、第二の紙幣押さえ板１５が撓むことによって形成された第二の紙幣押さえ板１５の凸状部分１５ｃによって、紙幣の長さ方向略中央部とその後端部（上流側端部）との間に位置する部分が、紙幣集積板１の第一の水平面部１ａに向けて押圧される。
【００６６】
このように、本実施態様においては、紙幣集積板１の上面に送り込まれた紙幣の先端部と先端部から約１／５の部分との間に位置する部分が、第一の紙幣押さえ板１１によって、紙幣集積板１の傾斜面部１ｃに向けて押圧され、紙幣集積板１の上面に送り込まれた紙幣の長さ方向略中央部と後端部（上流側端部）との間に位置する部分が、可撓性のある合成樹脂シートにより作られた第二の紙幣押さえ板１５が撓むことによって形成された凸状部分１５ｃにより、紙幣集積板１の第一の水平面部１ａに向けて押圧されるから、略中央部が折れ曲げられている紙幣や先端部が上方にカールしている紙幣が紙幣集積装置内に送り込まれて場合にも、きわめて折れ曲がりやすい紙幣や皺がついている紙幣が紙幣集積装置内に送り込まれて場合にも、紙幣を紙幣集積板１の上面に沿って、集積させることが可能になる。
【００６７】
紙幣が、紙幣集積装置内の紙幣集積板１の上面に集積されると、コントロールユニット４０から、ソレノイド２７に駆動停止信号が出力されて、ソレノイド２７がオフされる。
【００６８】
その結果、第一の紙幣押さえ板１１は、引っ張りばね１３のスプリング力によって、図１に示される待機位置に復帰し、その下流側端部が第一の紙幣押さえ板１１に固着された第二の紙幣押さえ板１５もまた、図１に示される待機位置に復帰する。
【００６９】
センサ５が紙幣の後端部を検出し、センサ５から出力された検出信号が入力されるたびに、コントロールユニット４０は同様の制御を繰り返し、紙幣入出金機に投入された紙幣のうち、受け入れ可能な紙幣がすべて、紙幣集積装置に送り込まれたと判定すると、コントロールユニット４０は紙幣集積装置への紙幣の集積処理を終了させる。
【００７０】
その結果、紙幣集積装置の紙幣集積板１の上面には、紙幣入出金機に投入された紙幣で、受け入れ可能なすべての紙幣が集積されている。この状態で、オペレータまたは顧客から、入力手段２０に入金信号あるいは返却信号が入力され、コントロールユニット４０が、入金信号あるいは返却信号を受けると、ソレノイド２８が駆動されて、紙幣集積装置の出口部に設けられたシャッタ６が開かれ、集積された紙幣は、オペレータまたは顧客が入力手段２０に入力した指示信号に従って、紙幣入出金機に入金され、あるいは、オペレータまたは顧客に返却される。
【００７１】
本実施態様によれば、紙幣集積板１の上方に送り込まれた紙幣の先端部と先端部から約１／５の部分との間に位置する部分が、第一の紙幣押さえ板１１によって、紙幣集積板１の傾斜面部１ｃに向けて押圧され、紙幣集積板１の上面に送り込まれた紙幣の長さ方向略中央部と後端部との間に位置する部分が、可撓性のある合成樹脂シートで形成された第二の紙幣押さえ板１５が撓むことによって形成された凸状部分１５ｃにより、紙幣集積板１の第一の水平面部１ａに向けて押圧されるから、略中央部が折れ曲げられている紙幣や先端部が上方にカールしている紙幣が紙幣集積装置内に送り込まれて場合にも、きわめて折れ曲がりやすい紙幣や皺がついている紙幣が紙幣集積装置内に送り込まれて場合にも、紙幣を紙幣集積板１の上面に沿って、集積させることが可能になる。
【００７２】
さらに、本実施態様によれば、第二の紙幣押さえ板１５の下流側端部が、第一の紙幣押さえ板１１の歯１１ｂの押圧面１２ｂに固着されているので、ソレノイド２７を駆動して、第一の紙幣押さえ板１１を支軸１０まわりに揺動させると、第二の紙幣押さえ板１５もまた揺動され、したがって、ソレノイド２７を駆動するだけで、第一の紙幣押さえ板１１および第二の紙幣押さえ板１５を所望のように揺動させて、紙幣集積装置に送り込まれた紙幣を、所望のように、紙幣集積板１上に集積することができるから、紙幣集積装置の構造を簡易化することが可能になる。
【００７３】
図６は、本発明の別の好ましい実施態様にかかる紙幣集積装置の略側面図であり、図７は、第二の紙幣押さえ板１５の上流側端部近傍を示す略拡大側面図である。
【００７４】
図６および図７に示されるように、本実施態様にかかる紙幣集積装置は、第二の紙幣押さえ板１５の上流側端部近傍の面が、支軸１０の上流側で、待機位置にある第一の紙幣押さえ板１１を含む平面に平行で、かつ、支軸１０を含む平面内で、取り付け部材１７に固着されている点を除き、図１ないし図５に示された紙幣集積装置と同様の構成を有している。
【００７５】
本実施態様にかかる紙幣集積装置においても、受け入れ可能な紙幣が、紙幣集積装置のローラ対２によって、紙幣集積板１の上方に送り込まれ、羽根車３によって、その後端部が紙幣集積板１の上面に向けて、叩き落される。
【００７６】
さらに、紙幣集積装置の入口部に設けられたセンサ５によって、紙幣の後端部が検出されると、紙幣検出信号がコントロールユニット４０に出力される。
【００７７】
コントロールユニット４０は、センサ５から紙幣検出信号を受けてから、所定の時間経過後に、ソレノイド２７に駆動信号を出力する。
【００７８】
その結果、第一の紙幣押さえ板１１が、引っ張りばね１３のスプリング力に抗して、支軸１０まわりに、図６において、反時計方向に揺動され、各歯１１ａ、１１ｂ、１１ｃの押圧面１２ａ、１２ｂ、１２ｃによって、紙幣集積板１の上方に送り込まれた紙幣が、紙幣集積板１の傾斜面部１ｃに向けて、押圧される。
【００７９】
図８は、第一の紙幣押さえ板１１が、支軸１０まわりに、図６において、反時計方向に揺動されたときの第一の紙幣押さえ板１１および第二の紙幣押さえ板１５の位置を概略的に示すダイアグラムである。
【００８０】
図８に示されるように、第一の紙幣押さえ板１１が支軸１０まわりに揺動すると、第二の紙幣押さえ板１５は、その下流側端部が第一の紙幣押さえ板１１に固着され、第二の紙幣押さえ板１５には、固着部に接して、折れ目１５ｂが形成されているから、第一の紙幣押さえ板１１の揺動にともなって、第二の紙幣押さえ板１５も折れ目１５ｂまわりに強制的に揺動される。
【００８１】
その結果、第二の紙幣押さえ板１５の下流側端部と上流側端部との距離が短くなるから、図１ないし図５に示された実施態様と同様に、第一の紙幣押さえ板１１が支軸１０まわりに反時計方向に揺動されるにしたがって、可撓性を有するポリエチレンテレフタレートシートなどの合成樹脂シートによって作られた第二の紙幣押さえ板１５は紙幣集積板１に向けて、凸状にたわみ、紙幣集積板１の上の上方に送り込まれた紙幣は、第一の紙幣押さえ板１１によって、先端部と先端部から約１／５の部分との間に位置する部分が、紙幣集積板１の傾斜面部１ｃに向けて押圧され、第二の紙幣押さえ板１５の凸状部分１５ｃによって、紙幣の長さ方向略中央部と後端部との間に位置する部分が、紙幣集積板１の第一の水平面部１ａに向けて押圧される。
【００８２】
このように、本実施態様においても、図１ないし図５に示された実施態様と同様に、紙幣集積板１の上方に送り込まれた紙幣の先端部（下流側端部）と先端部から約１／５の部分との間に位置する部分が、第一の紙幣押さえ板１１によって、紙幣集積板１の傾斜面部１ｃに向けて押圧され、紙幣集積板１の上方に送り込まれた紙幣の紙幣の長さ方向略中央部と後端部（上流側端部）との間に位置する部分は、可撓性のある材料合成樹脂シートにより作られた第二の紙幣押さえ板１５が撓むことによって形成された凸状部分１５ｃによって、紙幣集積板１の第一の水平面部１ａに向けて押圧されるから、略中央部が折れ曲げられている紙幣や先端部が上方にカールしている紙幣が紙幣集積装置内に送り込まれて場合にも、きわめて折れ曲がりやすい紙幣や皺がついている紙幣が紙幣集積装置内に送り込まれて場合にも、紙幣を紙幣集積板１の上面に沿って、集積させることが可能になる。
【００８３】
紙幣が、紙幣集積装置内の紙幣集積板１の上面に集積されると、コントロールユニット４０から、ソレノイド２７に駆動停止信号が出力されて、ソレノイド２７がオフされる。
【００８４】
その結果、第一の紙幣押さえ板１１は、引っ張りばね１３のスプリング力によって、図６に示される待機位置に復帰し、その下流側端部が第一の紙幣押さえ板１１に固着された第二の紙幣押さえ板１５もまた、図６に示される待機位置に復帰する。
【００８５】
センサ５が紙幣の後端部を検出し、センサ５から出力された検出信号が入力されるたびに、コントロールユニット４０は同様の制御を繰り返し、紙幣入出金機に投入された紙幣のうち、受け入れ可能な紙幣がすべて、紙幣集積装置に送り込まれたと判定すると、コントロールユニット４０は紙幣集積装置への紙幣の集積処理を終了させる。
【００８６】
その結果、紙幣集積装置の紙幣集積板１の上面には、紙幣入出金機に投入された紙幣で、受け入れ可能なすべての紙幣が集積されている。この状態で、オペレータまたは顧客から、入力手段２０に入金信号あるいは返却信号が入力され、コントロールユニット４０が、入金信号あるいは返却信号を受けると、ソレノイド２８が駆動されて、紙幣集積装置の出口部に設けられたシャッタ６が開かれ、集積された紙幣は、オペレータまたは顧客が入力手段２０に入力した指示信号に従って、紙幣入出金機に入金され、あるいは、オペレータまたは顧客に返却される。
【００８７】
本実施態様によれば、紙幣集積板１の上方に送り込まれた紙幣の先端部と先端部から約１／５の部分との間に位置する部分が、第一の紙幣押さえ板１１によって、紙幣集積板１の傾斜面部１ｃに向けて押圧され、紙幣集積板１の上方に送り込まれた紙幣の長さ方向略中央部と後端部との間に位置する部分が、可撓性のある合成樹脂シートで作られた第二の紙幣押さえ板１５が撓むことによって形成された凸状部分１５ｃにより、紙幣集積板１の第一の水平面部１ａに向けて押圧されるから、略中央部が折れ曲げられている紙幣や先端部が上方にカールしている紙幣が紙幣集積装置内に送り込まれて場合にも、きわめて折れ曲がりやすい紙幣や皺がついている紙幣が紙幣集積装置内に送り込まれて場合にも、紙幣を紙幣集積板１の上面に沿って、集積させることが可能になる。
【００８８】
さらに、本実施態様によれば、第二の紙幣押さえ板１５の下流側端部近傍の面が、第一の紙幣押さえ板１１の歯１１ｂの押圧面１２ｂに固着されているので、ソレノイド２７を駆動して、第一の紙幣押さえ板１１を支軸１０まわりに揺動させると、第二の紙幣押さえ板１５もまた揺動され、したがって、ソレノイド２７を駆動するだけで、第一の紙幣押さえ板１１および第二の紙幣押さえ板１５を所望のように揺動させて、紙幣集積装置に送り込まれた紙幣を、所望のように、紙幣集積板１上に集積することができるから、紙幣集積装置の構造を簡易化することが可能になる。
【００８９】
図９は、本発明の他の好ましい実施態様にかかる紙幣集積装置の略側面図である。
【００９０】
図９に示されるように、本実施態様にかかる紙幣集積装置は、第二の紙幣押さえ板１５の上流側端部近傍の面が、支軸１０よりも上流側で、かつ、支軸１０および第一の紙幣押さえ板１１の主要部を含む平面内で、取り付け部材１７に固着されている点を除き、図１ないし図５に示された紙幣集積装置と同様の構成を有している。
【００９１】
本実施態様にかかる紙幣集積装置においても、受け入れ可能な紙幣が、紙幣集積装置のローラ対２によって、紙幣集積板１の上方に送り込まれ、羽根車３によって、その後端部が紙幣集積板１の上面に向けて、叩き落される。
【００９２】
さらに、紙幣集積装置の入口部に設けられたセンサ５によって、紙幣の後端部が検出されると、紙幣検出信号がコントロールユニット４０に出力される。
【００９３】
コントロールユニット４０は、センサ５から紙幣検出信号を受けてから、所定の時間経過後に、ソレノイド２７に駆動信号を出力する。
【００９４】
その結果、第一の紙幣押さえ板１１が、引っ張りばね１３のスプリング力に抗して、支軸１０まわりに、図６において、反時計方向に揺動され、各歯１１ａ、１１ｂ、１１ｃの押圧面１２ａ、１２ｂ、１２ｃによって、紙幣集積板１の上方に送り込まれた紙幣が、紙幣集積板１の傾斜面部１ｃに向けて、押圧される。
【００９５】
図１０は、第一の紙幣押さえ板１１が、支軸１０まわりに、図９において、反時計方向に揺動されたときの第一の紙幣押さえ板１１および第二の紙幣押さえ板１５の位置および形状を概略的に示すダイアグラムである。
【００９６】
図１０に示されるように、第一の紙幣押さえ板１１が支軸１０まわりに揺動すると、第二の紙幣押さえ板１５は、その下流側端部が第一の紙幣押さえ板１１に固着され、第二の紙幣押さえ板１５には、固着部に接して、折れ目１５ｂが形成されているから、第一の紙幣押さえ板１１の揺動にともなって、第二の紙幣押さえ板１５も折れ目１５ｂまわりに強制的に揺動される。
【００９７】
その結果、第二の紙幣押さえ板１５の下流側端部と上流側端部との距離が短くなるから、図１ないし図５に示された実施態様と同様に、第一の紙幣押さえ板１１が支軸１０まわりに反時計方向に揺動されるにしたがって、可撓性を有するポリエチレンテレフタレートシートなどの合成樹脂シートによって作られた第二の紙幣押さえ板１５は紙幣集積板１に向けて、凸状にたわみ、紙幣集積板１の上方に送り込まれた紙幣は、第一の紙幣押さえ板１１によって、先端部と先端部から約１／５の部分との間に位置する部分が、紙幣集積板１の傾斜面部１ｃに向けて押圧され、第二の紙幣押さえ板１５の凸状部分１５ｃによって、紙幣の長さ方向略中央部と後端部との間に位置する部分が、紙幣集積板１の第一の水平面部１ａに向けて押圧される。
【００９８】
このように、本実施態様においても、図１ないし図５に示された実施態様と同様に、紙幣集積板１の上方に送り込まれた紙幣の先端部（下流側端部）と先端部から約１／５の部分との間に位置する部分が、第一の紙幣押さえ板１１によって、紙幣集積板１の傾斜面部１ｃに向けて押圧され、紙幣集積板１の上方に送り込まれた紙幣の紙幣の長さ方向略中央部と後端部（上流側端部）との間に位置する部分は、可撓性のある材料合成樹脂シートにより作られた第二の紙幣押さえ板１５が撓んだために形成された凸状部分１５ｃによって、紙幣集積板１の第一の水平面部１ａに向けて押圧されるから、略中央部が折れ曲げられている紙幣や先端部が上方にカールしている紙幣が紙幣集積装置内に送り込まれて場合にも、きわめて折れ曲がりやすい紙幣や皺がついている紙幣が紙幣集積装置内に送り込まれて場合にも、紙幣を紙幣集積板１の上面に沿って、集積させることが可能になる。
【００９９】
紙幣が、紙幣集積装置内の紙幣集積板１の上面に集積されると、コントロールユニット４０から、ソレノイド２７に駆動停止信号が出力されて、ソレノイド２７がオフされる。
【０１００】
その結果、第一の紙幣押さえ板１１は、引っ張りばね１３のスプリング力によって、図９に示される待機位置に復帰し、その下流側端部が第一の紙幣押さえ板１１に固着された第二の紙幣押さえ板１５もまた、図６に示される待機位置に復帰する。
【０１０１】
センサ５が紙幣の後端部を検出し、センサ５から出力された検出信号が入力されるたびに、コントロールユニット４０は同様の制御を繰り返し、紙幣入出金機に投入された紙幣のうち、受け入れ可能な紙幣がすべて、紙幣集積装置に送り込まれたと判定すると、コントロールユニット４０は紙幣集積装置への紙幣の集積処理を終了させる。
【０１０２】
その結果、紙幣集積装置の紙幣集積板１の上面には、紙幣入出金機に投入された紙幣で、受け入れ可能なすべての紙幣が集積されている。この状態で、オペレータまたは顧客から、入力手段２０に入金信号あるいは返却信号が入力され、コントロールユニット４０が、入金信号あるいは返却信号を受けると、ソレノイド２８が駆動されて、紙幣集積装置の出口部に設けられたシャッタ６が開かれ、集積された紙幣は、オペレータまたは顧客が入力手段２０に入力した指示信号に従って、紙幣入出金機に入金され、あるいは、オペレータまたは顧客に返却される。
【０１０３】
本実施態様によれば、紙幣集積板１の上方に送り込まれた紙幣の先端部と先端部から約１／５の部分との間に位置する部分が、第一の紙幣押さえ板１１によって、紙幣集積板１の傾斜面部１ｃに向けて押圧され、紙幣集積板１の上方に送り込まれた紙幣の長さ方向略中央部と後端部との間に位置する部分が、可撓性のある合成樹脂シートで作られた第二の紙幣押さえ板１５が撓むことによって形成された凸状部分１５ｃにより、紙幣集積板１の第一の水平面部１ａに向けて押圧されるから、略中央部が折れ曲げられている紙幣や先端部が上方にカールしている紙幣が紙幣集積装置内に送り込まれて場合にも、きわめて折れ曲がりやすい紙幣や皺がついている紙幣が紙幣集積装置内に送り込まれて場合にも、紙幣を紙幣集積板１の上面に沿って、集積させることが可能になる。
【０１０４】
さらに、本実施態様によれば、第二の紙幣押さえ板１５の下流側端部近傍の面が、第一の紙幣押さえ板１１の歯１１ｂの押圧面１２ｂに固着されているので、ソレノイド２７を駆動して、第一の紙幣押さえ板１１を支軸１０まわりに揺動させると、第二の紙幣押さえ板１５もまた揺動され、したがって、ソレノイド２７を駆動するだけで、第一の紙幣押さえ板１１および第二の紙幣押さえ板１５を所望のように揺動させて、紙幣集積装置に送り込まれた紙幣を、所望のように、紙幣集積板１上に集積することができるから、紙幣集積装置の構造を簡易化することが可能になる。
【０１０５】
図１１は、本発明のさらに他の好ましい実施態様にかかる紙幣集積装置の略側面図である。
【０１０６】
図１１に示されるように、本実施態様にかかる紙幣集積装置は、第二の紙幣押さえ板１５の上流側端部近傍の面が、支軸１０の下流側で、かつ、第一の紙幣押さえ板１１の主要部を含む平面に平行で、支軸１０を含む平面に対し、紙幣集積板１側の位置で、紙幣集積装置の本体に取り付けられた取り付け部材１７に固着されている点を除き、図１ないし図５に示された実施態様にかかる紙幣集積装置と同様の構成を有している。
【０１０７】
本実施態様にかかる紙幣集積装置においても、受け入れ可能な紙幣が、紙幣集積装置のローラ対２によって、紙幣集積板１の上方に送り込まれ、羽根車３によって、その後端部が紙幣集積板１の上面に向けて、叩き落される。
【０１０８】
さらに、紙幣集積装置の入口部に設けられたセンサ５によって、紙幣の後端部が検出されると、紙幣検出信号がコントロールユニット４０に出力される。
【０１０９】
コントロールユニット４０は、センサ５から紙幣検出信号を受けてから、所定の時間経過後に、ソレノイド２７に駆動信号を出力する。
【０１１０】
その結果、第一の紙幣押さえ板１１が、引っ張りばね１３のスプリング力に抗して、支軸１０まわりに、図１１において、反時計方向に揺動され、各歯１１ａ、１１ｂ、１１ｃの押圧面１２ａ、１２ｂ、１２ｃによって、紙幣集積板１の上方に送り込まれた紙幣が、紙幣集積板１の傾斜面部１ｃに向けて、押圧される。
【０１１１】
図１２は、第一の紙幣押さえ板１１が、支軸１０まわりに、図１１において、反時計方向に揺動されたときの第一の紙幣押さえ板１１および第二の紙幣押さえ板１５の位置および形状を概略的に示す略側面図である。
【０１１２】
図１２に示されるように、第一の紙幣押さえ板１１が支軸１０まわりに揺動すると、第二の紙幣押さえ板１５は、その下流側端部が第一の紙幣押さえ板１１に固着され、第二の紙幣押さえ板１５には、固着部に接して、折れ目１５ｂが形成されているから、第一の紙幣押さえ板１１の揺動にともなって、第二の紙幣押さえ板１５も折れ目１５ｂまわりに強制的に揺動される。
【０１１３】
その結果、第二の紙幣押さえ板１５の下流側端部と上流側端部との距離が短くなるから、図１ないし図５に示された実施態様と同様に、第一の紙幣押さえ板１１が支軸１０まわりに反時計方向に揺動されるにしたがって、可撓性を有するポリエチレンテレフタレートシートなどの合成樹脂シートによって作られた第二の紙幣押さえ板１５は紙幣集積板１に向けて、凸状にたわみ、紙幣集積板１の上面に送り込まれた紙幣は、第一の紙幣押さえ板１１によって、先端部と先端部から約１／５の部分との間に位置する部分が、紙幣集積板１の傾斜面部１ｃに向けて押圧され、第二の紙幣押さえ板１５の凸状部分１５ｃによって、紙幣の長さ方向略中央部と後端部との間に位置する部分が、紙幣集積板１の第一の水平面部１ａに向けて押圧される。
【０１１４】
このように、本実施態様においても、図１ないし図５に示された実施態様と同様に、紙幣集積板１の上方に送り込まれた紙幣の先端部（下流側端部）と先端部から約１／５の部分との間に位置する部分が、第一の紙幣押さえ板１１によって、紙幣集積板１の傾斜面部１ｃに向けて押圧され、紙幣集積板１の上方に送り込まれた紙幣の紙幣の長さ方向略中央部と後端部（上流側端部）との間に位置する部分は、可撓性のある材料合成樹脂シートにより作られた第二の紙幣押さえ板１５が撓んだために形成された凸状部分１５ｃによって、紙幣集積板１の第一の水平面部１ａに向けて押圧されるから、略中央部が折れ曲げられている紙幣や先端部が上方にカールしている紙幣が紙幣集積装置内に送り込まれて場合にも、きわめて折れ曲がりやすい紙幣や皺がついている紙幣が紙幣集積装置内に送り込まれて場合にも、紙幣を紙幣集積板１の上面に沿って、集積させることが可能になる。
【０１１５】
また、本実施態様においては、第二の紙幣押さえ板１５の下流側端部近傍の面が、第一の紙幣押さえ板１１の歯１１ｂの押圧面１２ｂに固着されているので、ソレノイド２７を駆動して、第一の紙幣押さえ板１１を支軸１０まわりに揺動させると、第二の紙幣押さえ板１５もまた揺動され、したがって、ソレノイド２７を駆動するだけで、第一の紙幣押さえ板１１および第二の紙幣押さえ板１５を所望のように揺動させて、紙幣集積装置に送り込まれた紙幣を、所望のように、紙幣集積板１上に集積することができるから、紙幣集積装置の構造を簡易化することが可能になる。
【０１１６】
紙幣が、紙幣集積装置内の紙幣集積板１の上面に集積されると、コントロールユニット４０から、ソレノイド２７に駆動停止信号が出力されて、ソレノイド２７がオフされる。
【０１１７】
その結果、第一の紙幣押さえ板１１は、引っ張りばね１３のスプリング力によって、図６に示される待機位置に復帰し、その下流側端部が第一の紙幣押さえ板１１に固着された第二の紙幣押さえ板１５もまた、図１１に示される待機位置に復帰する。
【０１１８】
センサ５が紙幣の後端部を検出し、センサ５から出力された検出信号が入力されるたびに、コントロールユニット４０は同様の制御を繰り返し、紙幣入出金機に投入された紙幣のうち、受け入れ可能な紙幣がすべて、紙幣集積装置に送り込まれたと判定すると、コントロールユニット４０は紙幣集積装置への紙幣の集積処理を終了させる。
【０１１９】
その結果、紙幣集積装置の紙幣集積板１の上面には、紙幣入出金機に投入された紙幣で、受け入れ可能なすべての紙幣が集積されている。この状態で、オペレータまたは顧客から、入力手段２０に入金信号あるいは返却信号が入力され、コントロールユニット４０が、入金信号あるいは返却信号を受けると、ソレノイド２８が駆動されて、紙幣集積装置の出口部に設けられたシャッタ６が開かれ、集積された紙幣は、オペレータまたは顧客が入力手段２０に入力した指示信号に従って、紙幣入出金機に入金され、あるいは、オペレータまたは顧客に返却される。
【０１２０】
図１３は、本発明のさらに他の好ましい実施態様にかかる紙幣集積装置の第一の紙幣押さえ板および第二の紙幣押さえ板の配置を示す略正面図であり、図１４は、図１３に示された紙幣集積装置の中央に位置する第二の紙幣押さえ板の上流側端部近傍を示す概略図である。
【０１２１】
図１３に示されるように、本実施態様にかかる紙幣集積装置は、３つの長さが等しい第二の紙幣押さえ板５５、５６、５７を備え、第一の紙幣押さえ板１１の基端部１２から下流側に向かって延びる互いに平行な３本の歯１１ａ、１１ｂ、１１ｃのそれぞれに、第二の紙幣押さえ板５５、５６および５７が取り付けられている。
【０１２２】
３つの第二の紙幣押さえ板５５、５６および５７は、それぞれ、その下流側端部近傍の面が、第一の紙幣押さえ板１１の歯１１ａ、１１ｂおよび１１ｃの押圧面１２ａ、１２ｂおよび１２ｃに固着され、第二の紙幣押さえ板５５、５６および５７には、それぞれ、固着部に接して、折れ目５５ｂ、５６ｂおよび５７ｂが形成されている。
【０１２３】
一方、３つの第二の紙幣押さえ板５５、５６および５７のうち、両側に位置する第二の紙幣押さえ板５５および第二の紙幣押さえ板５７は、それぞれ、その上流側端部近傍の面が、支軸１０よりも上流側で、かつ、支軸１０よりも紙幣集積板１に近い位置で、取り付け部材１６に固着され、固着部に接して、第二の紙幣押さえ板５５および第二の紙幣押さえ板５７には、それぞれ、折れ目５５ａおよび５７ａが形成されているのに対し、図１４に示されるように、中央に位置する第二の紙幣押さえ板５６の上流側端部は、支軸１０の上流側の取り付け部材１６に形成されたスリット１８内に挿入され、スリット１８の内面の線状領域に固着されている。
【０１２４】
本実施態様にかかる紙幣集積装置のその他の構成は、図１ないし図５に示された紙幣集積装置と実質的に同様である。
【０１２５】
本実施態様にかかる紙幣集積装置においても、受け入れ可能な紙幣が、紙幣集積装置のローラ対２によって、紙幣集積板１の上方に送り込まれ、羽根車３によって、その後端部が紙幣集積板１の上面に向けて、叩き落される。
【０１２６】
さらに、紙幣集積装置の入口部に設けられたセンサ５によって、紙幣の後端部が検出されると、紙幣検出信号がコントロールユニット４０に出力される。
【０１２７】
コントロールユニット４０は、センサ５から紙幣検出信号を受けてから、所定の時間経過後に、ソレノイド２７に駆動信号を出力する。
【０１２８】
その結果、第一の紙幣押さえ板１１が、引っ張りばね１３のスプリング力に抗して、支軸１０まわりに、図１において、反時計方向に揺動され、各歯１１ａ、１１ｂ、１１ｃの押圧面１２ａ、１２ｂ、１２ｃによって、紙幣集積板１の上方に送り込まれた紙幣が、紙幣集積板１の傾斜面部１ｃに向けて、押圧される。
【０１２９】
図１５は、ソレノイド２７が駆動されて、引っ張りばね１３のスプリング力に抗して、第一の紙幣押さえ板１１が支軸１０まわりに、図１において、反時計方向に揺動されたときに、中央に位置する第二の紙幣押さえ板５６ならびに両端部に位置する第二の紙幣押さえ板５５および５７の変形形状の概略図である。
【０１３０】
図１５において、その上流側端部が、支軸１０の上流側の取り付け部材１６に形成されたスリット１８内に挿入され、スリット１８の内面に固着されている第二の紙幣押さえ板５６の変形形状は実線で示され、その上流側端部近傍の面がそれぞれ、取り付け部材１６に固着されている第二の紙幣押さえ板５５および５７の変形形状は点線で示されている。
【０１３１】
図１３に示されるように、第二の紙幣押さえ板５５および５７は、いずれも、下流側端部近傍の面が第一の紙幣押さえ板１１の両側の歯１１ａおよび１１ｃに固着されるとともに、固着部に接して、第二の紙幣押さえ板５５および５７には、折れ目５５ｂ、５７ｂが形成され、上流側端部近傍の面が、支軸１０の上流側で、かつ、支軸１０よりも紙幣集積板１に近い位置で、取り付け部材１６に固着されるとともに、固着部に接して、第二の紙幣押さえ板５５および５７には、折れ目５５ａ、５７ａが形成されているため、図１５に示されるように、第一の紙幣押さえ部材１１が揺動されたときの第二の紙幣押さえ板５５および５７の変形形状は、いずれも、第二の紙幣押さえ板５５および５７の長さ方向中央部を通る直線に対して線対称であり、たわみが最大になる凸状部分５５ｃ、５７ｃは、長さ方向中央部において生じる。
【０１３２】
これに対して、第二の紙幣押さえ板５６は、その下流側端部近傍の面が第一の紙幣押さえ板１１の中央の歯１１ｂに固着されるとともに、固着部に接して、第二の紙幣押さえ板５６には折れ目５６ｂが形成されているのに対し、第二の紙幣押さえ板５６の上流側端部は、支軸１０の上流側で、かつ、支軸１０よりも紙幣集積板１に近い位置に形成されたスリット１８に挿入され、スリット１８の内面に固着されており、第二の紙幣押さえ板５６は、上流側端部と下流側端部の取り付け方が異なっているから、その変形形状は、第二の紙幣押さえ板５６の長さ方向中央部を通る直線に対して線対称ではなく、たわみが最大になる凸状部分５６ｃの位置が、その上流側端部側にずれることになる。
【０１３３】
したがって、第一の紙幣押さえ板１１がソレノイド２７によって駆動されると、第一の紙幣押さえ板１１の押圧面１２ａ、１２ｂ、１２ｃによって、紙幣集積板１の上方に送り込まれた紙幣の先端部と先端部から約１／５の部分との間が押圧され、一方、図１５に示されるように、第二の紙幣押さえ板５５および５７によって、紙幣集積板１の上方に送り込まれた紙幣の長さ方向略中央部と後端部との間に位置する紙幣部分の中央部に比較的近い部分が押圧され、第二の紙幣押さえ板５６によって、紙幣集積板１の上方に送り込まれた紙幣の長さ方向略中央部と後端部との間に位置する紙幣部分の後端部（上流側端部）に比較的近い部分が押圧されるから、紙幣集積板１の上面に送り込まれた紙幣を紙幣集積板１上に所望のように集積することが可能になる。
【０１３４】
紙幣が、紙幣集積装置内の紙幣集積板１の上面に集積されると、コントロールユニット４０から、ソレノイド２７に駆動停止信号が出力されて、ソレノイド２７がオフされる。
【０１３５】
その結果、第一の紙幣押さえ板１１は、引っ張りばね１３のスプリング力によって、図１に示される待機位置に復帰し、その下流側端部が第一の紙幣押さえ板１１に固着された第二の紙幣押さえ板５５、５６、５７もまた、図１に示される待機位置に復帰する。
【０１３６】
センサ５が紙幣の後端部を検出し、センサ５から出力された検出信号が入力されるたびに、コントロールユニット４０は同様の制御を繰り返し、紙幣入出金機に投入された紙幣のうち、受け入れ可能な紙幣がすべて、紙幣集積装置に送り込まれたと判定すると、コントロールユニット４０は紙幣集積装置への紙幣の集積処理を終了させる。
【０１３７】
その結果、紙幣集積装置の紙幣集積板１の上面には、紙幣入出金機に投入された紙幣で、受け入れ可能なすべての紙幣が集積され、集積された紙幣は、オペレータまたは顧客が入力手段２０に入力した指示信号に従って、紙幣入出金機に入金され、あるいは、オペレータまたは顧客に返却される。
【０１３８】
本実施態様によれば、紙幣集積板１の上方に送り込まれた紙幣の先端部と先端部から約１／５の部分との間に位置する部分が、第一の紙幣押さえ板１１によって、紙幣集積板１の傾斜面部１ｃに向けて押圧され、一方、紙幣集積板１の上方に送り込まれた紙幣の長さ方向略中央部と後端部との間に位置する紙幣の部分が、両端に位置する第二の紙幣押さえ板５５および５７によって、紙幣集積板１の第一の水平面部１ａに向けて、押圧され、紙幣集積板１の上方に送り込まれた紙幣の長さ方向略中央部と後端部との間に位置する紙幣部分の後端部に比較的近い部分が、中央に位置する第二の紙幣押さえ板５７によって、紙幣集積板１の第一の水平面部１ａに向けて、押圧されるから、略中央部が折れ曲げられている紙幣や先端部が上方にカールしている紙幣が紙幣集積装置内に送り込まれて場合にも、きわめて折れ曲がりやすい紙幣や皺がついている紙幣が紙幣集積装置内に送り込まれて場合にも、紙幣を紙幣集積板１の上面に沿って、集積させることが可能になる。
【０１３９】
さらに、本実施態様によれば、第二の紙幣押さえ板５５、５６、５７の下流側端部が、第一の紙幣押さえ板１１の歯１１ａ、１１ｂ、１１ｃに固着されているので、ソレノイド２７を駆動して、第一の紙幣押さえ板１１を支軸１０まわりに揺動させると、第二の紙幣押さえ板５５、５６、５７もまた揺動され、したがって、ソレノイド２７を駆動するだけで、第一の紙幣押さえ板１１のみならず、第二の紙幣押さえ板５５、５６、５７を揺動させることができ、紙幣集積装置に送り込まれた紙幣を、所望のように、紙幣集積板１上に集積することができるから、紙幣集積装置の構造を簡易化することが可能になる。
【０１４０】
本発明は、以上の実施態様に限定されることなく、特許請求の範囲に記載された発明の範囲内で種々の変更が可能であり、それらも本発明の範囲内に包含されるものであることはいうまでもない。
【０１４１】
たとえば、前記実施態様においては、紙幣集積装置につき説明を加えたが、本発明は紙幣集積装置に限定されるものではなく、シート類を集積する場合に、広く適用することができる。
【０１４２】
また、前記実施態様においては、紙幣を略水平方向に集積する場合につき説明を加えたが、本発明は、紙幣を略水平方向に集積する場合に限定されるものではなく、紙幣が斜め方向になるように、紙幣を集積する場合にも適用可能である。
【０１４３】
さらに、前記実施態様においては、第二の紙幣押さえ板１５、５５、５６、５７として、可撓性を有するポリエチレンテレフタレートシートなどの合成樹脂シートが用いられているが、可撓性を有するシートであれば、合成樹脂シートに限定されるものではなく、第二の紙幣押さえ板１５、５５、５６、５７として、たとえば、可撓性を有する薄い金属シートなどを用いることもできる。
【０１４４】
また、図１ないし図５に示された実施態様においては、可撓性を有するポリエチレンテレフタレートシートなどの合成樹脂シートによって作られた第二の紙幣押さえ板１５の上流側端部近傍の面が、支軸１０よりも上流側で、かつ、支軸１０よりも紙幣集積板１に近い位置で、取り付け部材１６に固着され、図６ないし図８に示された実施態様においては、可撓性を有するポリエチレンテレフタレートシートなどの合成樹脂シートによって作られた第二の紙幣押さえ板１５の上流側端部近傍の面が、待機位置にある第一の紙幣押さえ板１１の主要部を含む平面に平行で、支軸１０を含む平面内に位置し、かつ、支軸１０の上流側の位置で、取り付け部材１７に固着されている。また、図９および図１０に示された実施態様においては、可撓性を有するポリエチレンテレフタレートシートなどの合成樹脂シートによって作られた第二の紙幣押さえ板１５の上流側端部近傍の面が、支軸１０および待機位置にある第一の紙幣押さえ板１１の主要部を含む平面内の位置で、取り付け部材１７に固着され、図１１および図１２に示された実施態様においては、第二の紙幣押さえ板１５の上流側端部近傍の面が、支軸１０の下流側で、かつ、第一の紙幣押さえ板１１の主要部を含む平面に平行で、支軸１０を含む平面に対し、紙幣集積板１側の位置で、取り付け部材１７に固着されている。また、図１３ないし図１５に示された実施態様においては、可撓性を有するポリエチレンテレフタレートシートなどの合成樹脂シートによって作られた第二の紙幣押さえ板５５、５６および５７の上流側端部が、支軸１０よりも上流側で、かつ、支軸１０よりも紙幣集積板１に近い位置で、取り付け部材１６に固着されている。しかしながら、第一の紙幣押さえ板１１が、支軸１０まわりに、反時計方向に揺動されたときに、可撓性を有するポリエチレンテレフタレートシートなどの合成樹脂シートによって作られた第二の紙幣押さえ板１５、５５、５６、５７も揺動し、第一の紙幣押さえ板１１に取り付けられた第二の紙幣押さえ板１５、５５、５６、５７の下流側端部と、紙幣集積装置の本体に取り付けられた上流側端部との間の距離が短くなればよく、第二の紙幣押さえ板１５の上流側端部近傍の面が、支軸１０よりも上流側で、かつ、支軸１０よりも紙幣集積板１に近い位置で、取り付け部材１６に固着され、第二の紙幣押さえ板１５の上流側端部近傍の面が、待機位置にある第一の紙幣押さえ板１１の主要部を含む平面に平行で、支軸１０を含む平面内で、かつ、支軸１０の上流側の位置で、取り付け部材１７に固着され、第二の紙幣押さえ板１５の上流側端部近傍の面が、支軸１０および待機位置にある第一の紙幣押さえ板１１の主要部を含む平面内の位置で、取り付け部材１７に固着され、第二の紙幣押さえ板１５の上流側端部近傍の面が、支軸１０の下流側で、かつ、第一の紙幣押さえ板１１の主要部を含む平面に平行で、支軸１０を含む平面に対し、紙幣集積板１側の位置で、取り付け部材１７に固着され、あるいは、第二の紙幣押さえ板５５、５６および５７の上流側端部が、支軸１０よりも上流側で、かつ、支軸１０よりも紙幣集積板１に近い位置で、取り付け部材１６に固着されていることは必ずしも必要ではなく、第二の紙幣押さえ板１５、５５、５６、５７の上流側端部の取り付け位置は、とくに限定されるものではない。
【０１４５】
さらに、前記実施態様においては、第一の紙幣押さえ板１１はフォーク状をなし、３本の歯１１ａ、１１ｂ、１１ｃを備えているが、第一の紙幣押さえ板１１が３本の歯１１ａ、１１ｂ、１１ｃを備えていることは必ずしも必要でなく、歯の数は任意であるし、さらには、第一の紙幣押さえ板１１がフォーク状をなしていることも必ずしも必要でなく、単一の平板によって、第一の紙幣押さえ板１１を形成することもできる。
【０１４６】
また、図１ないし図５に示された実施態様、図６ないし図８に示された実施態様、図９および図１０に示された実施態様ならびに図１１および図１２に示された実施態様においては、フォーク状の第一の紙幣押さえ板１１の中央の歯１１ｂにのみ、第二の紙幣押さえ板１５の下流端部が取り付けられ、図１３ないし図１５に示された実施態様においては、長さの等しい３つの第二の紙幣押さえ板５５、５６、５７の下流端部が、それぞれ、フォーク状の第一の紙幣押さえ板１１の３つの歯１１ａ、１１ｂ、１１ｃに取り付けられているが、長さの等しい２つの第二の紙幣押さえ板５５、５７の下流側端部だけを、第一の紙幣押さえ板１１の両側の歯１１ａ、１１ｃに取り付けるようにしてもよく、集積すべき紙幣の物理的性質に応じて、第二の紙幣押さえ板１５、５５、５６、５７の数を任意に選択することができる。
【０１４７】
さらに、図１３ないし図１５に示された実施態様においては、長さの等しい３つの第二の紙幣押さえ板５５、５６、５７を用いているが、３つの第二の紙幣押さえ板５５、５６、５７が同じ長さを有していることは必ずしも必要でなく、第二の紙幣押さえ板５５、５６、５７によって押圧すべき紙幣に応じて、異なる長さの第二の紙幣押さえ板５５、５６、５７を選択することができる。
【０１４８】
また、図１３ないし図１５に示された実施態様においては、３つの第二の紙幣押さえ板５５、５６、５７の下流側端部はいずれも、その近傍の面が、第一の紙幣押さえ板１１の歯１１ａ、１１ｂおよび１１ｃに固着されるとともに、固着部に接して、第二の紙幣押さえ板５５、５６、５７には折れ目５５ｂ、５６ｂ、５７ｂが形成されており、一方、両側に位置する第二の紙幣押さえ板５５、５７の上流側端部近傍の面が、支軸１０よりも上流側で、かつ、支軸１０よりも紙幣集積板１に近い位置で、取り付け部材１６に固着され、固着部に接して、第二の紙幣押さえ板５５、５７には折れ目５５ａ、５７ａが形成されているのに対し、中央に位置する第二の紙幣押さえ板５６の上流側端部は、支軸１０の上流側で、かつ、支軸１０よりも紙幣集積板１に近い位置で、取り付け部材１６に形成されたスリット１８内に挿入され、スリット１８の内面に固着されているが、このように、第二の紙幣押さえ板５５、５６、５７の上流側端部を紙幣集積装置の本体に取り付け、第二の紙幣押さえ板５５、５６、５７の下流側端部を第一の紙幣押さえ板１１に取り付けることは必ずしも必要ではなく、たとえば、支軸１０の上流側で、かつ、取り付け部材１６の支軸１０よりも紙幣集積板１に近い位置に形成された一対のスリット１８を形成し、両側に位置する第二の紙幣押さえ板５５、５７の上流側端部を一対のスリット１８内に挿入して、スリット１８の内面に固着させ、その一方で、中央に位置する第二の紙幣押さえ板５６の上流側端部近傍の面を、支軸１０よりも上流側で、かつ、支軸１０よりも紙幣集積板１に近い位置で、取り付け部材１６に固着し、固着部に接して、第二の紙幣押さえ板５６に折れ目を形成することもでき、第二の紙幣押さえ板５５、５６、５７の上流側端部および下流側端部の取り付け方法は、集積すべき紙幣の物理的性質に応じて、選択することができる。
【０１４９】
さらに、前記実施態様においては、紙幣集積板１が、羽根車３の近傍から略水平方向に延びる第一の水平面部１ａと、第一の水平面部１ａの下流端部から、下方に向かって、斜めに延びる傾斜面部１ｃと、傾斜面部１ｃの下流端部から略水平方向に延びる第二の水平面部１ｂを備え、第一の紙幣押さえ板１１が、紙幣を傾斜面部１ｃに向けて押圧し、第二の紙幣押さえ板１５、５５、５６、５７が、紙幣を第一の水平面部１ａに向けて押圧するように構成されているが、このような形状の紙幣集積板１を用い、第一の紙幣押さえ板１１が紙幣を傾斜面部１ｃに向けて押圧し、第二の紙幣押さえ板１５、５５、５６、５７が、紙幣を第一の水平面部１ａに向けて押圧するように構成することは必ずしも必要でない。
【０１５０】
また、図１ないし図５に示された実施態様、図６ないし図８に示された実施態様、図９および図１０に示された実施態様ならびに図１１および図１２に示された実施態様においては、紙幣集積板１の上方に送り込まれた紙幣の先端部（下流側端部）と先端部から長さ方向に約１／５の部分との間に位置する部分が、第一の紙幣押さえ板１１によって、紙幣集積板１の傾斜面部１ｃに向けて押圧されるように構成されているが、紙幣の先端部（下流側端部）と先端部から長さ方向に約１／５の部分との間に位置する部分が第一の紙幣押さえ板１１によって押圧されることは必ずしも必要でなく、第一の紙幣押さえ板１１の長さと第一の紙幣押さえ板１１によって押圧される紙幣集積板１の傾斜面部１ｃの位置などを変化させることによって、第一の紙幣押さえ板１１によって、紙幣の異なる部分を押圧するように構成することもできる。
【０１５１】
さらに、図１ないし図５に示された実施態様、図６ないし図８に示された実施態様、図９および図１０に示された実施態様ならびに図１１および図１２に示された実施態様においては、紙幣集積板１の上方に送り込まれた紙幣の長さ方向略中央部とその後端部（上流側端部）との間に位置する部分が、第二の紙幣押さえ板１５が撓むことによって形成された第二の紙幣押さえ板１５の凸状部分１５ｃによって、紙幣集積板１に向けて押圧されるように構成されているが、第二の紙幣押さえ板１５が撓むことによって形成された第二の紙幣押さえ板１５の凸状部分１５ｃによって、紙幣の長さ方向略中央部とその後端部（上流側端部）との間に位置する部分が紙幣集積板１に向けて押圧されるように構成することは必ずしも必要でなく、第二の紙幣押さえ板１５の長さ、第二の紙幣押さえ板１５の第一の紙幣押さえ板１１への取り付け位置、取り付け方法、第二の紙幣押さえ板１５の紙幣集積装置への取り付け位置、取り付け方法などを変化させることによって、第二の紙幣押さえ板１５が撓むことによって形成された第二の紙幣押さえ板１５の凸状部分１５ｃが、紙幣の異なる部分を押圧するように構成することもできる。
【０１５２】
また、外国紙幣など、紙幣処理機が、図１ないし図５に記載された好ましい実施態様、図６ないし図８に示された好ましい実施態様、図９および図１０に示された好ましい実施態様ならびに図１１および図１２に示された好ましい実施態様において想定されている紙幣に比して、大きなサイズの紙幣を対象としている場合には、対象とする紙幣のサイズに応じて、紙幣の先端部（下流側端部）と先端部から長さ方向に約１／５の部分との間に位置する部分が第一の紙幣押さえ板１１によって押圧されるように、第一の紙幣押さえ板１１の長さと第一の紙幣押さえ板１１によって押圧される紙幣集積板１の傾斜面部１ｃの位置などを変化させ、第二の紙幣押さえ板１５が撓むことによって形成された第二の紙幣押さえ板１５の凸状部分１５ｃによって、紙幣の長さ方向略中央部とその後端部（上流側端部）との間に位置する部分が紙幣集積板１に向けて押圧されるように、第二の紙幣押さえ板１５の長さ、第二の紙幣押さえ板１５の第一の紙幣押さえ板１１への取り付け位置、取り付け方法、第二の紙幣押さえ板１５の紙幣集積装置への取り付け位置、取り付け方法などを変化させてもよい。
【０１５３】
さらに、図１３ないし図１５に示された好ましい実施態様においては、両側に位置する第二の紙幣押さえ板５５および５７によって、紙幣集積板１の上方に送り込まれた紙幣の長さ方向略中央部と後端部との間に位置する紙幣部分の中央部に比較的近い部分が押圧され、中央に位置する第二の紙幣押さえ板５６によって、紙幣集積板１の上方に送り込まれた紙幣の長さ方向略中央部と後端部との間に位置する紙幣部分の後端部（上流側端部）に比較的近い部分が押圧されるように構成されているが、第二の紙幣押さえ板５５、５６、５７の長さ、第二の紙幣押さえ板５５、５７の第一の紙幣押さえ板１１への取り付け位置、取り付け方法、第二の紙幣押さえ板５５、５７の紙幣集積装置への取り付け位置、取り付け方法、第二の紙幣押さえ板５６の第一の紙幣押さえ板１１への取り付け位置、取り付け方法、第二の紙幣押さえ板５６の紙幣集積装置への取り付け位置、取り付け方法などを変化させることによって、第二の紙幣押さえ板５５、５６、５７が紙幣の任意の部分を押圧するように構成することもできる。
【０１５４】
また、外国紙幣など、紙幣処理機が、図１３ないし図１５に記載された好ましい実施態様において想定されている紙幣に比して、大きなサイズの紙幣を対象としている場合には、対象とする紙幣のサイズに応じて、第二の紙幣押さえ板５５および５７によって、紙幣集積板１の上方に送り込まれた紙幣の長さ方向略中央部と後端部との間に位置する紙幣部分の中央部に比較的近い部分が押圧され、第二の紙幣押さえ板５６によって、紙幣集積板１の上方に送り込まれた紙幣の長さ方向略中央部と後端部との間に位置する紙幣部分の後端部（上流側端部）に比較的近い部分が押圧されるように、第二の紙幣押さえ板５５、５６、５７の長さ、第二の紙幣押さえ板５５、５７の第一の紙幣押さえ板１１への取り付け位置、取り付け方法、第二の紙幣押さえ板５５、５７の紙幣集積装置への取り付け位置、取り付け方法、第二の紙幣押さえ板５６の第一の紙幣押さえ板１１への取り付け位置、取り付け方法、第二の紙幣押さえ板５６の紙幣集積装置への取り付け位置、取り付け方法などを変化させることもできる。
【０１５５】
本発明によれば、シートの略中央部が折れ曲げられている場合や、シートの先端部がカールしている場合、シートがきわめて折れ曲がりやすい場合や、シートに皺がついている場合においても、簡易な構造で、所望のように、シートを集積することができるシート集積装置を提供することが可能になる。
【符号の説明】
【０１５６】
１  紙幣集積板
１ａ  第一の水平面部
１ｂ  第二の水平面部
１ｃ  傾斜面部
２  ローラ対
３  羽根車
５  センサ
６  シャッタ
１０  第一の紙幣押さえ板の支軸
１１  第一の紙幣押さえ板
１１ａ、１１ｂ、１１ｃ  第一の紙幣押さえ板の歯
１２  第一の紙幣押さえ板の基端部
１２ａ、１２ｂ、１２ｃ  第一の紙幣押さえ板の押圧面
１３  引っ張りばね
１５  第二の紙幣押さえ板
１５ａ、１５ｂ  第二の紙幣押さえ板の折れ目
１５ｃ  変形時における第二の紙幣押さえ板の凸状部分
１６  取り付け部材
１７  取り付け部材
１８  スリット
２０  入力手段
２５  モータ
２７  ソレノイド
２８  ソレノイド
３０  紙幣判別センサ
４０  コントロールユニット
５５、５６、５７  第二の紙幣押さえ板
５５ａ、５５ｂ  第二の紙幣押さえ板５５の折れ目
５６ｂ  第二の紙幣押さえ板５６の折れ目
５７ａ、５７ｂ  第二の紙幣押さえ板５７の折れ目
５５ｃ  変形時における第二の紙幣押さえ板５５の凸状部分
５６ｃ  変形時における第二の紙幣押さえ板５６の凸状部分
５７ｃ  変形時における第二の紙幣押さえ板５７の凸状部分
【図１】
0005469554.tif 000002
【図２】
0005469554.tif 000003
【図３】
0005469554.tif 000004
【図４】
0005469554.tif 000005
【図５】
0005469554.tif 000006
【図６】
0005469554.tif 000007
【図７】
0005469554.tif 000008
【図８】
0005469554.tif 000009
【図９】
0005469554.tif 000010
【図１０】
0005469554.tif 000011
【図１１】
0005469554.tif 000012
【図１２】
0005469554.tif 000013
【図１３】
0005469554.tif 000014
【図１４】
0005469554.tif 000015
【図１５】
0005469554.tif 000016